(57)【特許請求の範囲】
【請求項１】
早期射精の処置及び男性器の刺激のための装置であって、
細長いスペース及び前方開放端部を規定し、男性器が前方開放端部から細長いスペース内に挿入され得る弾性スリーブと、
弾性スリーブに形成された少なくとも一つの孔と、
前記少なくとも一つの孔上に保持される少なくとも一つの液体吸収部材とを備え、
前記少なくとも一つの液体吸収部材は、ユーザの体温よりも高いか又は低い温度の低温、氷のように冷たい温度、暖かい温度又は高温の液体を吸い込み、かつ、使用時に男性器によって該少なくとも一つの液体吸収部材が絞られた際、該液体を前記少なくとも一つの孔を通じて弾性スリーブ内に送り出すように適合されることを特徴とする装置。
【請求項２】
ハウジングを備え、前記弾性スリーブはハウジング内に配置され、前記少なくとも一つの液体吸収部材は、ハウジングと弾性スリーブとの間における前記少なくとも一つの孔上に保持される請求項１に記載の装置。
【請求項３】
前記少なくとも一つの液体吸収部材は発泡部材である請求項１又は２に記載の装置。
【請求項４】
前記液体は潤滑剤又は水である請求項１又は２に記載の装置。
【請求項５】
使用前の前記少なくとも一つの液体吸収部材の温度は、暖かい温度、高温、低温、又は氷のように冷たい温度である請求項１又は２に記載の装置。
【請求項６】
弾性スリーブの一方側側部に形成された第１の複数の孔と、弾性スリーブの反対側側部に形成された第２の複数の孔とを備える請求項１又は２に記載の装置。
【請求項７】
前記弾性スリーブの外側面には、弾性スリーブに沿って長手方向に延び、かつ弾性スリーブの周りに周方向に間隔があけられた複数のリブが一体的に形成され、該複数のリブには、前記少なくとも一つの液体吸収部材を保持するための空間を規定する切除部が形成される請求項１又は２に記載の装置。
【請求項８】
二つの液体吸収部材を備え、一方の液体吸収部材は、弾性スリーブの一方側側部に保持され、暖かい温度／高温の液体が吸い込まれ、他方の液体吸収部材は、弾性スリーブの反対側側部に保持され、低温／氷のように冷たい温度の液体が吸い込まれる請求項１又は２に記載の装置。
【請求項９】
二つの液体吸収部材を備え、一方の液体吸収部材は、ハウジングと弾性スリーブの一方側側部との間に保持され、暖かい温度／高温の液体が吸い込まれ、他方の液体吸収部材は、ハウジングと弾性スリーブの反対側側部との間に保持され、低温／氷のように冷たい温度の液体が吸い込まれ、これにより、男性器の周りのハウジングの時計回り方向又は反時計回り方向における１８０度の回転が、暖かい温度／高温の液体と低温／氷のように冷たい温度の液体の交互により男性器を刺激する請求項２に記載の装置。
【請求項１０】
前記ハウジングは、二つの実質的に半円筒状のハウジング部分からなり、該ハウジング部分は、該二つのハウジング部分の長手方向縁に沿って形成された締結要素によって分離可能に互いに連結される請求項２に記載の装置。
【請求項１１】
前記締結要素は、前記二つのハウジング部分の一方の長手方向縁に形成されたほぼＬ字形断面の複数の弾性ラッチと、該弾性ラッチそれぞれとの係合のための、前記二つのハウジング部分の他方の長手方向縁の内側面に形成された複数のラッチ保持凹部とを含む請求項１０に記載の装置。
【請求項１２】
前記少なくとも一つの液体吸収部材は、ほぼ半環又は四分割環形状である請求項１又は１０に記載の装置。
【請求項１３】
前記二つのハウジング部分の一方の長手方向縁から延びる複数の補強拡張部を更に備え、該補強拡張部は、前記二つのハウジング部分が前記締結要素によって互いに連結されると、前記二つのハウジング部分の他方の長手方向縁に沿う複数の内側面と係合可能である請求項１０に記載の装置。
【請求項１４】
前記ハウジングの二つの両側の外側ねじ切り開放端部を閉じるための二つの内側ねじ切り端部キャップを更に備える請求項１０に記載の装置。
【請求項１５】
前記ハウジングの各外側ねじ切り開放端部とその対応する内側ねじ切り端部キャップとの間にねじ係合されるねじ切りリングを更に備える請求項１４に記載の装置。
【発明の詳細な説明】
【技術分野】
【０００１】
本出願は、早期射精の処置及び男性器の刺激のための装置に関する。
【背景技術】
【０００２】
現在、早期（早すぎる）射精の処置（治療）のための種々の方法が存在する。一つの方法が薬物処置である。早期射精の処置のためのピルは、性交の１〜３時間前に取り込まれ得る。しかしながら、薬は、通常、副作用を伴い、また、ある人には健康に対するリスクを与えるかもしれない。
【０００３】
別の方法は、陰茎感覚の低減である。陰茎の感じやすさを低下させることで、射精までの時間を延びすことができる。一般的な教示は、特別なコンドームの使用を含む。しかしながら、これらの特別なコンドームの使用の一つの主要な欠点は、性交中のセンセーショナルな感覚の喪失である。更に、性交の５〜３０分前に麻酔作用のあるクリーム又はスプレーが陰茎の頭部に直接適用され得る。しかしながら、麻酔薬は、時に、陰茎のしびれを引き起こしたり、性交中の気持ちよ良い感覚を低減し得る。
【発明の概要】
【発明が解決しようとする課題】
【０００４】
既存の方法の欠点を軽減し得る、早期射精の処置のための改良された装置を作り出すことが望まれている。
【０００５】
背景の上記記述は、早期射精の処置又は男性器の刺激のための既存の方法の理解を支援するために与えられるが、本出願に開示された早期射精の処置又は男性器の刺激のための装置に対する適切な先行技術を記述又は構成するとは認められず、また、本出願の特許請求の範囲の特許性に対する資料としてのいかなる引用文献をも考慮したとも認められない。
【課題を解決するための手段】
【０００６】
本発明によれば、早期射精の処置及び男性器の刺激のための装置であって、ハウジンングと、ハウジング内に配置される弾性スリーブと、弾性スリーブに形成された少なくとも一つの孔と、ハウジングと弾性スリーブとの間における前記少なくとも一つの孔上に保持される少なくとも一つの液体吸収部材とを含む装置が提供される。前記少なくとも一つの液体吸収部材は、ユーザの体温よりも高いか又は低い温度の液体を吸い込み、かつ、弾性スリーブの内部で摩擦を起こすように前後動している男性器によって該少なくとも一つの液体吸収部材が絞られた際、該液体を前記少なくとも一つの孔を通じて弾性スリーブ内に送り出すように適合される。
【０００７】
一実施形態において、前記少なくとも一つの液体吸収部材は発泡部材であり得る。前記液体は潤滑剤又は水であり得る。前記液体の温度は、暖かい温度、高温、低温、又は氷のように冷たい温度であり得る。前記装置は、弾性スリーブの一方側側部に形成された第１の複数の孔と、弾性スリーブの反対側側部に形成された第２の複数の孔とを備え得る。前記弾性スリーブの外側面には、弾性スリーブに沿って長手方向に延び、かつ弾性スリーブの周りに周方向に間隔があけられた複数のリブが一体的に形成され得、該複数のリブには、前記少なくとも一つの液体吸収部材を保持するための空間を規定する切除部が形成される。前記装置は、二つの液体吸収部材を備え得る。一方の液体吸収部材は、ハウジングと弾性スリーブの一方側側部との間に保持され、暖かい温度／高温の液体が吸い込まれ、他方の液体吸収部材は、ハウジングと弾性スリーブの反対側側部との間に保持され、低温／氷のように冷たい温度の液体が吸い込まれる。これにより、男性器の周りのハウジングの時計回り方向又は反時計回り方向における１８０度の回転が、暖かい温度／高温の液体と低温／氷のように冷たい温度の液体の交互により男性器を刺激する。
【０００８】
一実施形態において、前記ハウジングは、二つの実質的に半円筒状のハウジング部分からなり得る。該ハウジング部分は、該二つのハウジング部分の長手方向縁に沿って形成された締結要素によって分離可能に互いに連結される。前記締結要素は、前記二つのハウジング部分の一方の長手方向縁に形成されたほぼＬ字形断面の複数の弾性ラッチと、該弾性ラッチそれぞれとの係合のための、前記二つのハウジング部分の他方の長手方向縁の内側面に形成された複数のラッチ保持凹部とを含み得る。前記少なくとも一つの液体吸収部材は、ほぼ半環又は四分割環形状であり得る。前記二つのハウジング部分の一方の長手方向縁から延びる複数の補強拡張部を更に備え得る。該補強拡張部は、前記二つのハウジング部分が前記締結要素によって互いに連結されると、前記二つのハウジング部分の他方の長手方向縁に沿う複数の内側面と係合可能である。前記ハウジングの二つの両側の外側ねじ切り開放端部を閉じるための二つの内側ねじ切り端部キャップを更に備え得る。前記ハウジングの各外側ねじ切り開放端部とその対応する内側ねじ切り端部キャップとの間にねじ係合されるねじ切りリングを更に備え得る。
【０００９】
別の側面によれば、早期射精の処置及び男性器の刺激のための装置であって、弾性スリーブと、弾性スリーブに形成された少なくとも一つの孔と、前記少なくとも一つの孔上に保持される少なくとも一つの液体吸収部材とを備える装置が提供される。前記少なくとも一つの液体吸収部材は、ユーザの体温よりも高いか又は低い温度の液体を吸い込み、かつ、前記少なくとも一つの液体吸収部材が絞られた際、該液体を前記少なくとも一つの孔を通じて弾性スリーブ内に送り出すように適合される。一実施形態において、前記少なくとも一つの液体吸収部材は発泡部材であり得る。前記液体は潤滑剤又は水であり得る。前記液体の温度は、暖かい温度、高温、低温、又は氷のように冷たい温度であり得る。該装置は、弾性スリーブの一方側側部に形成された第１の複数の孔と、弾性スリーブの反対側側部に形成された第２の複数の孔とを有し得る。前記弾性スリーブの外側面には、弾性スリーブに沿って長手方向に延び、かつ弾性スリーブの周りに周方向に間隔があけられた複数のリブが一体的に形成され得る。該複数のリブには、前記少なくとも一つの液体吸収部材を保持するための空間を規定する切除部が形成される。該装置は、二つの液体吸収部材を含み得る。一方の液体吸収部材は、弾性スリーブの一方側側部に保持され、かつ暖かい温度／高温の液体が吸い込まれ、他方の液体吸収部材は、弾性スリーブの反対側側部に保持され、低温／氷のように冷たい温度の液体が吸い込まれる。前記少なくとも一つの液体吸収部材は、ほぼ半環又は四分割環形状であり得る。
【００１０】
本出願に開示された早期射精の処置又は男性器の刺激のための装置がある実施形態に関連して示され記述されるが、明細書を読んで理解すれば、均等物及び変更が生じることは当業者には自明である。本出願は、すべてのそのような均等物及び変更を含み、特許請求の範囲のみには限定されない。
【００１１】
本出願に開示された早期射精の処置又は男性器の刺激のための装置の特定の実施形態が
附随図面に関連した例により以下に記述される。
【図面の簡単な説明】
【００１２】
【図１】図１は、本出願に開示された一実施形態に従う早期射精の処置又は男性器の刺激のための装置の断面図である。
【図２】図２は、図１の早期射精の処置又は男性器の刺激のための装置の分解図である。
【図３】図３は、早期射精の処置又は男性器の刺激のための装置のハウジングの第１部分の斜視図である。
【図４】図４は、早期射精の処置又は男性器の刺激のための装置のハウジングの第２部分の斜視図である。
【図５】図５は、本出願の別の実施形態に従う早期射精の処置又は男性器の刺激のための装置の分解図である。
【図６】図６は、図５の早期射精の処置又は男性器の刺激のための装置の別の分解図である。
【図７】図７は、本出願に開示された別の実施形態に従うただ一つの液体吸収部材を有する早期射精の処置又は男性器の刺激のための装置の断面図である。
【図８】図８は、図７の早期射精の処置又は男性器の刺激のための装置の分解図である。
【図９】図９は、一つの取り付けリングに代えて、装置の両端部に二つの取り付けリングを有する点を除き、図８の早期射精の処置又は男性器の刺激のための装置と同様の分解図である。
【発明を実施するための形態】
【００１３】
以下、本出願に開示された早期射精の処置又は男性器の刺激のための装置の好ましい実施形態が詳細に記載され、その実施例も以下の記述に与えられる。本出願に開示した早期射精の処置又は男性器の刺激のための装置の模範的実施形態が詳細に記述されるが、早期射精の処置又は男性器の刺激のための装置の理解に特に重要ではないいくつかの特徴が、明瞭さのために示されないかもしれない点は当業者には明らかであろう。
【００１４】
更に、本出願に開示された早期射精の処置又は男性器の刺激のための装置が以下に記述した正確な実施形態に限定されないこと、及び、その種々の変更及び変形が、特許請求の範囲の精神又は範囲から逸脱することなく、当業者によってもたらされ得ることが理解されるべきである。例えば、異なる例示的実施形態の構成要素及び／又は特徴は、この開示及び特許請求の範囲の範囲内で互いに組み合わされ得、及び／又は置換され得る。
【００１５】
図１は、本出願に開示された実施形態に従う早期射精の処置又は男性器の刺激のための装置の断面図である。該装置は、弾性チューブ又はスリーブ１を含み得る。スリーブ１は、ハウジング２内に取り外し可能に配置され得る。例示の実施形態によれば、ハウジング２は、一般に、ほぼ円筒状の前方区域が比較的大径でかつほぼ円筒状の後方区域が比較的小径の懐中電灯の形状であり得る。ハウジング２は、ユーザが容易に該装置を片手又は両手で保持することができる限り、任意の他の適切な形状であり得ることが理解される。
【００１６】
弾性スリーブ１は、ほぼ管状の本体と、その前方開放端部の拡大頭部とを有し得る。弾性スリーブ１は、男性器すなわち男性ユーザの陰茎を受けるように寸法及び形状とされた細長いスペース１３を規定する。例示の実施形態によれば、細長いスペース１３は、その前方開放端部から後方閉鎖端部へと先細る。後方が閉じていることが図示されるが、後方端も開放端であってもよいことが企図される。弾性スリーブ１の内側面が滑らかな輪郭（プロファイル）を有することが図示されるが、弾性スリーブ１の内側面は、男性器が弾性スリーブ１の細長いスペース１３内に前方開放端部から挿入された際に、該内側面が男性器と接触することができ、かつ男性器を刺激することができる限り、どのような適切な形状であってもよいことが認識される。弾性スリーブ１は、人間の自然の皮膚を模倣する、ゴム、シリコン、ラテックス又は他の適切な柔軟な材料から成り得る。
【００１７】
弾性スリーブ１の前方開放端部の表面には、ハウジング２の内側面に形成された管状突起２３と係合するための管状の溝１４が設けられ得る。この係合は、弾性スリーブ１がハウジング２内にしっかりと保持されることを可能にし、使用中のハウジング２に対する弾性スリーブ１の軸方向への動きを制限する。
【００１８】
一つ又は複数の孔１２が弾性スリーブ１に形成され得る。図２に示す実施形態によれば、弾性スリーブ１の一側部に形成された六つの孔１２（２行及び３列）がある。孔１２は、弾性スリーブ１の、男性器が挿入される前方開放端部に近接して形成される。一つ又は複数の孔１２は、弾性スリーブ１の反対側側部にも形成され得る。孔１２は、前方開放端部付近の弾性スリーブ１のある区域を実質的に囲んで配置され得る。
【００１９】
図１の断面図に示すように、ハウジング２と弾性スリーブ１との間における孔１２上に一つ又は複数の液体吸収部材６が保持され得る。一つの液体吸収部材６は、ハウジング２と弾性スリーブ１の一側部との間に保持され得、また、他方の液体吸収部材６がハウジング２と弾性スリーブ１の反対側側部との間に保持され得る。二つの液体吸収部材６各々は、ほほ半環形状又は他の適切な形状であり得る。液体吸収部材６は、発泡材料からなり得、また、液体を吸収しかつ絞ると液体を放出することができる一片の発泡部材又は任意の他の可能な液体吸収部材(例えば綿パッド）に形成され得る。
【００２０】
孔１２及び液体吸収部材６は、弾性スリーブ１の前方区域の実質的周りに設けられ得、また、より大径であるハウジング２の円筒前方区域の内部に配置され得る。液体吸収部材６は、少なくとも一つの液体を吸い込むと共に、液体吸収部材６が男性器（弾性スリーブ１内に挿入されており、弾性スリーブ１の内部で摩擦を起こすように前後往復動している）によって絞られた際、孔１２を通じて該液体を弾性スリーブ１内に送り出すように適合される。
【００２１】
該装置には弾性スリーブ１の一区域に二つの液体吸収部材６が設けられるように図示及び記述されるが、該装置はたった一つ又は二つを超える液体吸収部材６を有し得、また、液体吸収部材６は弾性スリーブ１の一つを超える区域に設けられ得ることが理解される。図７〜９は、ただ一つの液体吸収部材６を有する早期射精の処置又は男性器の刺激のための装置の別の実施形態を示す。この例示実施形態によれば、液体吸収部材６はほぼ四分割（４分の１）環形状である。
【００２２】
該装置に使用される液体は、潤滑油等の潤滑剤であり得る。潤滑剤は、室温潤滑剤、暖かい／高温潤滑剤、又は冷たい／氷のように冷たい潤滑剤であり得る。該装置に用いられる液体はまた、水であり得る。水は、室温水、暖かい／高温水、又は冷たい／氷のように冷たい水であり得る。本出願の早期射精の処置のための装置と共同するこれらの液体の使用の詳細は後述される。
【００２３】
弾性スリーブ１は、液体吸収部材６を保持するために弾性スリーブ１の外側面から外側に突出する複数の弾性突起１１と一体に形成され得る。弾性突起１１は、孔１２を覆う位置にて液体吸収部材６を受け入るための空間を規定することができる。図２に示す一実施形態によれば、弾性突起１１は、弾性スリーブ１に沿って長手（軸）方向に延びかつ弾性スリーブ１の周りに周方向に間隔があけられた複数のリブの形態であり得る。該複数のリブには、液体吸収部材６を保持するための空間を規定する切除部が形成され得る。次の点が理解される。すなわち、弾性突起１１は、ハウジング２の使用を伴うことなく液体吸収部材６を保持するように構成され得、また、該装置はハウジング２なしで機能し得る。
【００２４】
該装置のハウジング２は、二つの分離可能なハウジング部分を含み得る。該二つのハウジング部分すなわちハウジングの二つの区域は、ほぼ半円筒形状であり得る。該二つのハウジング部分は、任意の適切な締結手段により分離可能に互いに固定され得る。図３及び４に例示した一実施形態によれば、締結要素２１１、２１１１、２２１、２２１１は、二つのほぼ半円筒状ハウジング部分の長手方向縁に沿って形成され得る。締結要素２１１、２１１１、２２１、２２１１は、一方のハウジング部分の二つの長手方向縁に形成された断面ほぼＬ字形状の複数の弾性ラッチ２１１と、他方のハウジング部分の二つの長手方向縁に沿って内側面に形成された複数のラッチ保持凹部２２１とを含み得る。各Ｌ形状ラッチ２１１は、垂直ラッチ部２１１１を有し得、また、各ラッチ保持凹部２２１は側部ブロック部２２１１を有し得る。側部ブロック部２２１１は、垂直ラッチ部２１１１の移動を防ぐためのもので、これにより、係合時にラッチ２１１をラッチ保持凹部２２１に保持する。
【００２５】
ハウジング２は、プラスチック又は任意の他の適切な材料からなり得る。ハウジング２を二つのハウジング部分に分離する特性は、ユーザが弾性スリーブ１をハウジング２から都合よく取り外すこと、及び液体吸収部材６に液体を吸い込ませるために液体吸収部材６を取り外すことを可能にする。これはまた、ユーザが、使用後に該装置のハウジング２の内部のみならず弾性スリーブ１、液体吸収部材６を容易に洗うことを可能にする。
【００２６】
該装置は、複数の補強拡張部２４を更に含み得る。補強拡張部２４は、一方のハウジング部分の二つの長手方向縁から延び、該二つのハウジング部分が締結要素２１１、２１１１、２２１、２２１１によって共に固定された際、他方のハウジング部分の内側面と係合可能である。補強拡張部２４は、締結要素２１１、２１１１、２２１、２２１１によるハウジング部分の取り付けを補強するために使用され得る。例示の実施形態によれば、一つの補強拡張部２４は、各ラッチ保持凹部２２１に隣接して設けられ、各補強拡張部２４は、ほぼ角括弧の液状の断面を有する。
【００２７】
該装置は、ハウジング２の外側にねじ切りされた二つの両側の開放端部をそれぞれ閉じるための、内側にねじ切りされた端部キャップ４、５を更に含む。更に、二つのねじ切りされた取り付けリング３、７が、各外側ねじ切り開放端部及びそれに対応する内側ねじ切り端部キャップ４、５と係合し、これらの間に嵌め込まれる。該二つのねじ切り取り付けリング３、７は、二つの内側ねじ切り端部キャップ４、５とハウジング２の二つの両側の外側ねじ切り開放端部とのねじ係合を確実にするため、及び使用中に液体のハウジング２からの漏れを防ぐために使用され得る。二つのねじ切り端部キャップ４、５及び二つのねじ切り取り付けリング３、７は、プラスチック又は任意の他の適切な材料からなり得る。
【００２８】
早期射精の処置又は男性器の刺激のための本出願の装置の使用が次に記述される。図５及び６に示す装置を用いて早期射精の処置又は男性器の刺激を開始するため、ユーザは、まず、ハウジング２の二つの両側端部から二つの端部キャップ４、５を、次いで二つのリング３、７を取り外すことにより、ハウジング２を開放する。端部キャップ４、５及びリング３，７が取り外された後、ハウジング２の二つのハウジング部分は分離され得る。二つの液体吸収部材６が潤滑材に浸される。潤滑剤は、ユーザの通常の体温と比較して、室温であり得、又は、比較的暖かい温度／高温まで加熱され得、又は、比較的冷たい温度／氷のように冷たい温度まで冷却され得る。液体吸収部材６に潤滑材を吸い込ませるため、ユーザは、潤滑剤を液体吸収部材６に直接ゆっくり注ぐか、又は液体吸収部材６を取り外して潤滑剤で満たされた瓶内に液体吸収部材６を浸漬するかのいずれかを行うことができる。液体吸収部材６に潤滑材が十分に吸い込まれた後、一方のハウジング部分弾性ラッチ２１１、２１１１を他方のハウジング部分の対応するラッチ保持凹部２２１、２２１１に連結することにより、ハウジング２の二つのハウジング部分は相互に取り付けられる。次いで、リング３、７及び端部キャップ４、５が、ハウジング２のそれぞれの端部に再び取り付けられる。
【００２９】
ユーザは、次いで、彼の男性器を弾性スリーブ１の細長いスペース１３内に前方開放端部を通じて挿入し、弾性スリーブ１内で男性器を前後に往復移動させる。男性器が、弾性スリーブ１内に挿入され、弾性スリーブ１内で前後に摩擦を起こすように移動している時、男性器は二つの潤滑剤吸収部材６を押す。これにより、潤滑材を潤滑剤吸収部材６から、弾性スリーブ１の二つの両側部の孔１２を通じて、細長いスペース１３内へと絞り出し、細長いスペース１３内で潤滑剤は男性器に触れる。図１に示すように、細長いスペース１３は、弾性スリーブ１の前方開放端部から後方閉鎖端部へと先細りし得る。スリーブ１は弾性及び伸縮性があるため、男性器は、男性器が弾性スリーブ１内部で前後に動かされている時、弾性スリーブ１の内側面と密着することができる。男性器の皮膚における触覚受容体は、弾性スリーブ１との接触を感知することができ、男性器は刺激され得る。男性器の頭部が男性器の最も刺激される部分であり得ることが理解される。
【００３０】
更に、孔１２を通じて細長いスペース１３に入る高温又は低温の潤滑剤は、男性器を更に刺激することができる。男性器の皮膚の表面での潤滑剤の温度が男性器の温度よりも高い時、男性器の皮膚における高温受容体は高温感覚を知覚し始める。同様に、男性器の皮膚の表面での潤滑剤の温度が男性器の温度よりも低い時、男性器の皮膚の低温受容体が低温感覚を知覚し始める。この陰茎の刺激は、男性器、特にその頭部の敏感さを低減することができ、早期射精の処置としての役割を果たすことができる。
【００３１】
細長いスペース１３が滑らかな先細り輪郭を有する点が図示され記述されたが、弾性スリーブ１の内側面には非円滑輪郭が設けられ得ることが理解される。非円滑輪郭は、例えば、男性器をマッサージし更に刺激するための、ほぼ波状の表面、あるいは弾性スリーブ１に沿って一体的に形成される複数の内側に突出するこぶ及びリブである。
【００３２】
図５及び６の装置を使用して別の早期射精の処置又は男性器の刺激の別の方法を始めるため、ユーザは、まず、ハウジング２を開放する。潤滑剤に代えて、二つの液体吸収部材６に水が吸引される。二つの液体吸収部材６には、ユーザの通常の体温に比べて比較的暖かい温度／高い温度を有する暖かい／高温の水が吸引され得る。また、二つの液体吸収部材６は、ユーザの通常の体温に比べて比較的冷たい温度／氷のように冷たい温度を有する冷たい／氷のように冷たい水が吸引され得る。
【００３３】
同様に、二つの液体吸収部材６に水を吸い込むため、ユーザは、水を二つの液体吸収部材６に直接ゆっくり注ぐか、又はハウジング２から液体吸収部材６を取り外して水で満たされた瓶内に液体吸収部材６を浸漬するかのいずれかを行うことができる。暖かい温度／高温又は低温／氷のように冷たい温度の水が液体吸収部材６に十分に吸い込まれた後、ハウジング２の二つのハウジング部分が締結要素２１１、２１１１、２２１、２２１１により相互に取り付けられる。リング３、７及び端部キャップ４、５が、ハウジング２のそれぞれの端部に再び取り付けられる。
【００３４】
ユーザは、次いで、彼の男性器を弾性スリーブ１の細長いスペース１３内に前方開放端部を通じて挿入し、弾性スリーブ１内で男性器を前後に往復移動させる。男性器が、弾性スリーブ１内に挿入され、弾性スリーブ１内で前後に摩擦を起こすように移動している時、男性器は二つの水吸収部材６を押す。これにより、暖かい温度／高温又は低温／氷のように冷たい温度の水を水吸収部材６から、弾性スリーブ１の二つの両側部の孔１２を通じて、細長いスペース１３内へと絞り出し、細長いスペース１３内で水は男性器に触れる。
【００３５】
暖かい温度／高温又は低温／氷のように冷たい温度の潤滑剤と同様に、暖かい温度／高温又は低温／氷のように冷たい温度の水は、男性器を刺激することができる。男性器の皮膚の表面での暖かい／高温の水の温度が男性器の温度よりも高い時、男性器の皮膚における高温受容体は暖かい／高温感覚を知覚し始める。同様に、男性器の皮膚の表面での低温／氷のように冷たい温度の水が男性器の温度よりも低い時、男性器の皮膚の低温受容体が低温／氷のように冷たい温度感覚を知覚し始める。この陰茎の刺激は、男性器、特にその頭部の敏感さを低減することができ、早期射精の処置としての役割を果たすことができる。
【００３６】
図５及び６の装置を使用して更なる早期射精の処置又は更なる男性器の刺激法を開始するため、ユーザは、ユーザの体温に比べて暖かい温度／高温の潤滑剤又は水を弾性スリーブ１の一側部の一つの液体吸収部材６に吸い込ませると共に、ユーザの体温に比べて冷たい温度／氷のように冷たい温度の潤滑剤又は水を弾性スリーブ１の反対側側部の他方の液体吸収部材６に吸い込ませる。
【００３７】
ユーザは、次いで、彼の男性器を弾性スリーブ１の細長いスペース１３内に前方開放端部を通じて挿入し、弾性スリーブ１内で男性器を前後に往復移動させる。男性器が、弾性スリーブ１内に挿入され、弾性スリーブ１内で前後に摩擦を起こすように移動している時、次のようになる。（ｉ）男性器は、暖かい／高温の潤滑剤又は水を吸引した液体吸収部材６を押す。これにより、暖かい／高温の潤滑剤又は水を液体吸収部材６から、弾性スリーブ１の一側部の孔１２を通じて、細長いスペース１３内へと絞り出し、細長いスペース１３内で潤滑剤又は水は男性器の一側部に触れる。同時に、（ｉｉ）男性器は、低温／氷のように冷たい潤滑剤又は水を吸引した他方の液体吸収部材６を押す。これにより、低温／氷のように冷たい潤滑剤又は水を液体吸収部材６から、弾性スリーブ１の他側部の孔１２を通じて、細長いスペース１３内へと絞り出し、細長いスペース１３内で潤滑剤又は水は男性器の他側部に触れる。この効果は、男性器の一側部が暖かい／高温の潤滑剤又は水によって刺激され、男性器の他側部が低温／氷のように冷たい潤滑剤又は水によって刺激される。更に、ユーザは男性器に対し該装置を回転させ得る。該装置が時計回り方向又は反時計回り方向に１８０度回転させられると、暖かい／高温の潤滑剤又は水によって最初に刺激された男性器の一側部が今度は低温／氷のように冷たい潤滑剤又は水によって刺激される。また、低温／氷のように冷たい潤滑剤又は水によって最初に刺激された男性器の他側部は、次に暖かい／高温の潤滑剤又は水によって刺激される。暖かい／高温及び低温／氷のように冷たい潤滑剤又は水の交代は、弾性器を更に刺激することができ、男性器、特にその頭部の感度を下げることができ、早期射精の処置としての役割を果たすことができる。
【００３８】
本出願の早期射精の処置のための装置は、男性器を刺激するための男性自慰器として使用可能である。また、男性器の刺激は、早期射精を治すことができる。該装置が男性器を刺激するための男性自慰器として使用される場合、弾性スリーブ１の前方開放端部は、自慰中の男性ユーザを刺激するために女性の膣の形状に成形され得る。
【００３９】
本出願に開示された早期射精の処置又は男性器の刺激のための装置が、いくつかの好ましい実施形態を特に参照して示され記述されたが、当然のことながら、特許請求の範囲から逸脱することなく種々の他の変更及び変形がなされ得る。
【図１】
0005512902.tif 000002
【図２】
0005512902.tif 000003
【図３】
0005512902.tif 000004
【図４】
0005512902.tif 000005
【図５】
0005512902.tif 000006
【図６】
0005512902.tif 000007
【図７】
0005512902.tif 000008
【図８】
0005512902.tif 000009
【図９】
0005512902.tif 000010